(57)【要約】  【課題】  分析ディスク上のサンプルが配置された領域のトラックを正確にトレースしてレーザの照射位置を正確に制御しながら、精度の高いサンプルの分析を行うことができる光学分析装置を提供する。  【解決手段】  波長の異なる分析用の第１のレーザダイオード２０７と、ディスク上のアドレス情報取得及びトレースを行うための第２のレーザダイオード２０９、透過光と反射光をそれぞれ受光する第１のフォトディテクタ２０６，第２のフォトディテクタ２００と、これらのディテクタからの受光信号を処理する信号処理回路２０１，２０８とを備える。サンプル１１１の配置された領域を走査する際、レーザ光を切換えながら照射し、サンプルの分析とトラックのトレースとを切り替えながら行う。【選択図】  図１
2006300696.tif 000002
【特許請求の範囲】
【請求項１】
トラックを有する光ディスクの一部に分析対象のサンプルを配置した分析ディスクを回転させながら、前記分析ディスクにレーザ光を照射して得られる光を受光することにより、前記サンプルを光学的に分析する光学分析装置であって、
前記分析ディスクのトラックをトレースするのに適した波長のレーザ光を出力する第１のレーザダイオードと、
前記第１のレーザダイオードとは異なる波長であり、前記サンプルを分析するのに適した波長のレーザ光を出力する第２のレーザダイオードと、を備えており、
分析対象のサンプルが配置された領域をトレースする際に、
前記第１のレーザダイオードと前記第２のレーザダイオードとを交互に切り替えて照射し、前記第１のレーザダイオードの照射により得られる光を受光して前記トラックのトレースを行い、前記第２のレーザダイオードの照射により得られる光を受光してサンプルの分析を行うようにことを特徴とする光学分析装置。
【請求項２】
前記第１のレーザダイオードから出力され、分析ディスクを反射した光を受光する第１のフォトディテクタと、
前記第２のレーザダイオードから出力され、前記分析ディスクを透過、または反射した光を受光する第２のフォトディテクタと、をさらに備えており、
前記第１のレーザダイオードと、第２のレーザダイオードの切り替えのタイミングに同期して、前記第１のフォトディテクタと、第２のフォトディテクタとから得られる信号のいずれかを選択して、トラックのトレースまたはサンプルの分析に利用するよう切り替えるようにしたことを特徴とする請求項１に記載の光学分析装置。
【請求項３】
前記第１または第２のレーザダイオードから出力され、分析ディスクを反射した光を受光するフォトディテクタを備えており、
前記第１のレーザダイオードと、第２のレーザダイオードの切り替えのタイミングに同期して、前記フォトディテクタから得られる信号を、トラックのトレースまたはサンプルの分析のいずれに利用するのかを切り替えるようにしたことを特徴とする請求項１に記載の光学分析装置。
【請求項４】
第２のレーザダイオードに替えて、前記第１のレーザダイオードとは異なる波長であり、かつ、前記サンプルを分析するのに適した互いに異なる波長のレーザ光を出力する複数のレーザダイオードを備えており、
該複数のレーザダイオードは、サンプルの配置された領域を照射する際に、互いに切り替えられて照射され、それらの照射により得られる光を受光してサンプルの分析を行うようにことを特徴とする請求項１に記載の光学分析装置。
【請求項５】
前記レーザダイオードの切り替える周期を前記ディスクの回転数もしくは線速度に応じて切り替えるようにした請求項１の光学分析装置。
【発明の詳細な説明】
【技術分野】
【０００１】
本発明は、光ディスク装置の光学スキャン技術を用いて、生物学的、化学的または生化学的なサンプルの光学検査を行う光学分析装置に関するものである。
【背景技術】
【０００２】
従来の光学分析装置として、光ディスク装置の再生機能を用いて、光ディスク上のある部分に試験しようとするサンプルを設けた分析ディスクを用いて、レーザでトレースしサンプルの映像を取得するものがある（例えば特許文献１参照）。
【０００３】
分析ディスク１０１は図６に示すように、基盤１０２の上面にアルミ反射層のトラック１０３を形成し、そのトラック１０３に微細な凹凸のピットとウオブル１０４で情報が記録されている。１０５は保護層である。
【０００４】
従来の光学分析装置は図７に示すように、ディスクモータ１０６で分析ディスク１０１を矢印Ｃ方向に回転させながら、トラック１０３上をピックアップ１０７からのレーザ光Ｐｈで読み取る。ピックアップ１０７は、トラバースモータ１０８で駆動される送りねじ１０９に螺合しており、サーボコントロール回路１１０が、ピックアップ１０７の再生出力に基づいてトラック１０３を追随してトレースするように、トラバースモータ１０８を駆動してピックアップ１０７を径方向に移動させる。また、サーボコントロール回路１１０は、トラック１０３に記録されているアドレス情報を検出し、線速度が一定になるようにディスクモータ１０６を駆動（ＣＬＶ制御）する。
【０００５】
さらに詳しくは、レーザ光Ｐｈの分析ディスク１０１への照射位置は、トラバースモータ１０８の駆動だけでなく、ピックアップ１０７の内部に設けられたトラッキングアクチェータ（図示せず）によってレーザ光Ｐｈの光路を光ディスク１０１の面方向に必要に応じて併せて駆動して位置制御しながら正確にトラック１０３をトレースするように構成されている。
【０００６】
ここまでの構成は、従来のオーディオ用やビデオ用の光ディスクを取り扱う一般的な光ディスク装置と同じである。しかし分析ディスクには、図５、図６に示したように、サンプル１１１が分析ディスク１０１に配置されているので、光学分析装置の場合には、オーディオ用やビデオ用光ディスクの光ディスク装置の構成に加え、さらにこのサンプル１１１の反射光を、ピックアップ１０７に設けたフォトディテクタ（以下、ＰＤと称す）で読み取って、これを映像信号処理回路１１２で処理してサンプル１１１の映像を得るものである。
【０００７】
これまでの説明は、分析ディスク１０１の反射光を読み取って分析を行う場合を例に挙げて説明したが、サンプル１１１を通過する透過光を見て分析を行う場合には、ＰＤを分析ディスク１０１の上面の側に配置して構成される。
【特許文献１】特表平１０−５０４３９７号公報
【発明の開示】
【発明が解決しようとする課題】
【０００８】
上記従来の光学分析装置では、トラック１０３の読み取りと、サンプル１１１の分析とを、光ピックアップ１０７から出力される同じ波長のレーザで行っている。
【０００９】
つまり、単一光源から出力される、たとえば、７８０ｎｍの波長のレーザを用いて、ディスクのピットやウオブルなどで記録されたトラック１０３のアドレス情報を正確に読み取ってディスクをトレースすると同時に、そのレーザ光にて照射されるサンプルからの反射光、または透過光を分析光として利用していた。
【００１０】
しかしながらこのような構成においては、光学特性の異なるサンプルを分析する場合や、上記のようにサンプルの映像を取得するのではなく、サンプルの吸光度を求めるような場合に、トラック１０３を正確にトレースするための波長のレーザが、分析に適した波長のレーザとはならないことがあり、そのようなときには、精度の高い分析ができないという問題があった。
【００１１】
また、上記のような問題を解決するために、分析に適した波長のレーザを使用して、サンプル１１１の分析を行うようにしたときには、逆にトラック１０３を正確にトレースできなくなってしまう。特にサンプル１１１の配置された領域でのトレースがうまく行われなくなり、分析されない領域が残ってしまうなどの問題が生じてしまう。
【００１２】
そこで本発明は、サンプルが配置された領域に形成されたトラックを正確にトレースしながら、なおかつ、サンプルの光学特性が異なる場合や、分析目的が異なる場合にも、精度の高い分析が行えるようにすることを目的とする。
【課題を解決するための手段】
【００１３】
上記課題を解決するために、本発明の光学分析装置は、トラックを有する光ディスクの一部に分析対象のサンプルを配置した分析ディスクを回転させながら、前記分析ディスクにレーザ光を照射して得られる光を受光することにより、前記サンプルを光学的に分析する光学分析装置であって、前記分析ディスクのトラックをトレースするのに適した波長のレーザ光を出力する第１のレーザダイオードと、前記第１のレーザダイオードとは異なる波長であり、前記サンプルを分析するのに適した波長のレーザ光を出力する第２のレーザダイオードと、を備えており、分析対象のサンプルが配置された領域をトレースする際に、前記第１のレーザダイオードと前記第２のレーザダイオードとを交互に切り替えて照射し、前記第１のレーザダイオードの照射により得られる光を受光して前記トラックのトレースを行い、前記第２のレーザダイオードの照射により得られる光を受光してサンプルの分析を行うようにことを特徴とする。
【００１４】
また、本発明の光学分析装置は、前記第１のレーザダイオードから出力され、分析ディスクを反射した光を受光する第１のフォトディテクタと、前記第２のレーザダイオードから出力され、前記分析ディスクを透過、または反射した光を受光する第２のフォトディテクタと、をさらに備えており、前記第１のレーザダイオードと、第２のレーザダイオードの切り替えのタイミングに同期して、前記第１のフォトディテクタと、第２のフォトディテクタとから得られる信号のいずれかを選択して、トラックのトレースまたはサンプルの分析に利用するよう切り替えるようにしたことを特徴とする。
【００１５】
また、本発明の光学分析装置は、前記第１または第２のレーザダイオードから出力され、分析ディスクを反射した光を受光するフォトディテクタを備えており、前記第１のレーザダイオードと、第２のレーザダイオードの切り替えのタイミングに同期して、前記フォトディテクタから得られる信号を、トラックのトレースまたはサンプルの分析のいずれに利用するのかを切り替えるようにしたことを特徴とする。
【００１６】
また、本発明の光学分析装置は、第２のレーザダイオードに替えて、前記第１のレーザダイオードとは異なる波長であり、かつ、前記サンプルを分析するのに適した互いに異なる波長のレーザ光を出力する複数のレーザダイオードを備えており、該複数のレーザダイオードは、サンプルの配置された領域を照射する際に、互いに切り替えられて照射され、それらの照射により得られる光を受光してサンプルの分析を行うようにしたことを特徴とする。
【００１７】
また、本発明の光学分析装置は、前記レーザダイオードの切り替える周期を前記ディスクの回転数もしくは線速度に応じて切り替えるようにしたことを特徴とする。
【発明の効果】
【００１８】
本発明の光学分析装置によれば、分析すべきサンプルが配置された領域をトレースする際に、分析ディスク上のピットやウオブルの情報取得に好適な波長を出力するレーザダイオードと、サンプルの分析に好適な波長のレーザダイオードの出力を高速で切り替え、それに同期してフォトディテクタで受光した信号を選択的に処理するようにしている。
【００１９】
このため分析ディスク上のサンプルが配置された領域のトラックを正確にトレースしてレーザの照射位置を正確に制御しながら、なおかつ、精度の高いサンプルの分析を行うことができる。
【発明を実施するための最良の形態】
【００２０】
以下、本発明の光学分析装置の各実施の形態について、図面に基づいて具体的に説明する。
【００２１】
（実施の形態１）
図１は、本発明の実施の形態１における光学分析装置を示す。図１において、分析ディスク１０１上には、図５で示す同心円状または螺旋状のトラック（図示せず）があり、さらに生物学的、化学的、または生化学的なサンプル１１１が存在する領域がある。分析ディスク１０１にレーザを照射するピックアップ１０７には、分析ディスク１０１のトラックにビットやウオブルとして存在する情報の読取に適した波長のレーザ光を出射する第１のレーザダイオード（ＬＤ１）２０７と、サンプル１１１の光学特性を分析するのに適した波長のレーザ光を出射する第２のレーザダイオード（ＬＤ２）２０９が搭載されている。
【００２２】
第１、第２のレーザダイオード２０７，２０９から出力されたレーザ光のうち、分析ディスク１０１で反射する成分については、ピックアップ１０７に搭載された第１のフォトディテクタ（ＰＤ１）２０６にて検知された後に、第１の信号処理回路２０８へ送られる。分析ディスク１０１を透過する成分は、第２のフォトディテクタ（ＰＤ２）２００にて検知された後、第２の信号処理回路２０１に送られる。
【００２３】
第２のフォトディテクタ２００の具体例としては、分析ディスク１０１の径方向に長く配設されたラインセンサを固定して設ける例と、ピックアップ１０７に設けられた第１のフォトディテクタ２０６と同じように構成し、分析ディスク１０１の径方向に移動させる例などを挙げることができる。
【００２４】
第２のレーザダイオード２０９は第２レーザ出力駆動手段２１０によって駆動され、  第１のレーザダイオード２０７は第１レーザ出力駆動手段２１２によって駆動される。第１，第２レーザ出力駆動手段２１２，２１０は、マイクロコンピュータを主要部とする制御部２１１によって制御される切り替えスイッチ２１３によって、何れかを運転するような状態に切り換えるように構成されている。
【００２５】
図１において、第１のレーザダイオード２０７から出射されたレーザ光でトラック１０３を照射する光は、分析ディスク１０１のピットもしくはウオブルを有するトラック１０３で反射されて、ピックアップ１０７の第１のフォトディテクタ２０６によって検出されて第１の信号処理回路２０８に入力される。そして、分析ディスク１０１を線速度一定で回転させたり、ピックアップ１０７のトラック追随やレンズの追随などを行ったりするサーボ制御が行われる。
【００２６】
分析ディスク１０１のトラック１０３には、反射率３０％〜６０％になるように金などの金属を薄く蒸着して構成されており、第２のレーザダイオード２０９からの出射光は、分析ディスク１０１及びサンプル１１１を透過する。この透過光は、第２のフォトディテクタ２００で検出され、その信号は第２の信号処理回路２０１にて信号処理される。この信号は測定する目的により、サンプル１１１の形状取得や濃度分析などに使用される。
【００２７】
ここで第１のレーザダイオード２０７の波長は、分析ディスク１０１のピットやウオブルなどのデータ取得に適した波長であり、第２のレーザダイオード２０９の波長は、分析ディスクのサンプル部１１１を透過検出するのに適した波長である。光ピックアップ１０７としては、このような波長を出力する第１と第２のレーザダイオードを有するものを使用する。
【００２８】
具体的には、ＣＤ／ＤＶＤ用のレーザが１つのピックアップに搭載されているピックアップを使用することができる。また、ＤＶＤ／「Ｂｌｕ−ｒａｙ」用のレーザダイオードが１つのピックアップに搭載されているものを使用することもできる。
【００２９】
ＣＤフォーマットでトラックが形成された分析ディスク１０１を走査する場合には、第１のレーザダイオード２０７としては、ピットやウオブルなどのディスク上のデータを取得するのに最適な、たとえば波長７８０ｎｍのレーザを用いることができる。またＤＶＤ規格で設けられているビットやウオブルを読み取るためには６５０ｎｍ付近の波長を用いたレーザダイオードや、また「Ｂｌｕ−ｒａｙ」規格で設けられているビットやウオブルを読み取るためには４０５ｎｍ付近の波長を用いたレーザダイオードを選定することができる。この時、分析用レーザの波長はデータの読み取りに関係なく、自由に選択できる。
【００３０】
第２のレーザダイオードの波長としては、以下のように選択することができる。まず、光吸収を用いた溶液中の化学種の定量をする場合には、あらかじめ測定対象物の光学特性（吸収スペクトル）を測定しておき、その測定を行うために最適な波長に近い波長のレーザ光を出射するものを選択する。
【００３１】
一般的な光吸収を用いた溶液中の化学種の定量の場合には、原理的には光の吸収のある波長ならばどの波長を選んでもよいが、実際には光の検出はある有限の波長幅の光の強度を積算することで得られるため、吸光度の測定は吸光度の変動の少ない波長、つまり吸収極大の波長で行う場合が最適であることが多い。
【００３２】
例えば、ＷＳＴ−４（同仁化学研究所株式会社製）と呼ばれる水溶性のホルマザンを生成するテトラゾリウム塩を利用して、ＮＡＤＨにより還元されて生じるホルマザンの吸光度を測定する場合などでは、「Ｂｌｕ−ｒａｙ」規格である４０５ｎｍやＣＤ規格である７８０ｎｍ近傍の波長では濃度依存性が少なく、ＤＶＤ規格である６５０ｎｍ付近では吸光度の濃度異存が出現するため、ＤＶＤ波長のレーザにて分析する事は有利になる。
【００３３】
またＷＳＴ−３（同仁化学研究所株式会社製）と呼ばれる水溶性のホルマザンを生成するテトラゾリウム塩が、ＮＡＤＨにより還元されて生じるホルマザンの吸光度は、４３３ｎｍで極大吸収波長となる。この場合には、おおよそ６００ｎｍ以上の波長ではほとんど吸収されないために、「Ｂｌｕ−ｒａｙ」規格の４０５ｎｍのレーザにて測定する方が、濃度依存性が高く、有利な分析ができる。
【００３４】
次に、サンプル１１１の光学的特性として画像データを取得する場合には、分析に使用するレーザはより短い波長で、できるだけ小さいスポットで走査することがより詳細な画像データを得るために有利である。以上のように構成した光学分析装置において、本発明の特徴的な構成は、分析ディスク１０１上のサンプル１１１が配置された領域をレーザで走査する際に、第１のレーザダイオード２０７と、第２のレーザダイオード２０９とを交互に高速に切り替えて照射するものである。
【００３５】
第１のレーザダイオード２０７が切り換えスイッチ２１３の切り替えにより、点灯している時は、第１のフォトディテクタ２０６の受光信号を第１の信号処理回路２０８に入力し、トラックの制御に利用する。この時、第２のフォトディテクタ２００の受光信号が入力される第２の信号処理回路２０１はホールド状態となるよう、制御する。
【００３６】
また、第２のレーザダイオード２０９が切り替えスイッチ２１３の切り替えにより、点灯している時は、第２のフォトディテクタ２００の受光信号を第２の信号処理回路２０１に入力し、サンプルの分析に利用する。この時、第１のフォトディテクタ２０６の受光信号が入力される第１の信号処理回路２０８はホールド状態とする。
【００３７】
切り替えスイッチ２１３は制御部２１１により切り替えられるが、それぞれ図４（ａ）のタイミングチャートのように駆動される。図４（ａ）において、第１の信号処理回路の動作をＳｉｇ１、第２の信号処理回路の動作をＳｉｇ２とする。図４（ａ）は、分析ディスク１０１が１回転したときに、光ピックアップ１０７がサンプルの配置された領域をトレースし、分析を行うときの切り替えタイミングを示している。この切り替えは第１のレーザダイオード（ＬＤ１）２０７がＯＮの状態と、第２のレーザダイオード（ＬＤ２）２０９がＯＮの状態とで、時分割にて交互に行われるように動作する。またそれに同期して、第１と第２のフォトダイオードからの信号が入力される第１と第２の信号処理回路２０８、２０１において、サンプリングとホールドの状態を交互に繰り返す。
【００３８】
切り替え周期としては、それぞれの取得されるサーボ信号や取得目的とするサンプルの映像信号に影響を与えないような高速での切り替え周期が求められる。光学的なドライブ装置をコントロールするサーボ信号であれば、数十ｋＨｚ程度の周波数で取得が可能であるが、このような周波数では、サンプルを高精度に分析することができない。サンプルを高精度に分析するには、映像信号取得では４ＭＨｚ以上であることが、レーザダイオードの切り替えの影響を受けない条件となる。逆にこの切り替え周期を高速にする為の制限となるのが、レーザの切り替えスピードと受光信号のサンプリングとホールドの切り替えスピードである。いずれも使用される半導体素子の過渡特性に依存されるが、通常ＣＤ−ＲＷドライブ等の記録時のサンプリング、ホールド切り替え時で、１０ＭＨｚ程度までの信号切り替え実力は、確保できている。
【００３９】
これらから１０ＭＨｚの切り替え周期に設定したとすると、ディスクのサーボ信号取得、ディスクの検体信号取得に影響を与えずに、実質上同時に信号取得されたのと同じ状態が得られることになる。
【００４０】
なお本実施の形態１では、レーザダイオードの切り替え周期を、分析ディスクの回転数もしくは線速度に応じて切り替えることも可能であり、光ピックアップ１０７が内周にあるときと、外周にあるときとの分析条件をそろえることが可能となる。
【００４１】
以上のように、本実施の形態１においては、特にトラック読取用の第１のレーザダイオードと、サンプル分析用の第２のレーザダイオードを備える光学分析装置において、サンプルの配置された領域において、各々のレーザダイオードの出力を高速で切り替えると共に、受光側の信号も同時に高速で切り替えて処理することにより、実質上それぞれの波長のレーザで信号を取得したのと同じような効果が得られ、サンプルの配置された領域内でのレーザの照射位置を正確に制御しつつ、精度の高いサンプルの分析を行うことが出来るようになる。
【００４２】
（実施の形態２）
図２は、本発明の実施の形態２における光学分析装置を示す。
【００４３】
図２においてはフォトディテクタが１つの構成であり、第１のレーザダイオード２０７、第２のレーザダイオード２０９から出射され、分析ディスク１０１で反射する光をフォトディテクタ２０５で受光する。
【００４４】
ここで、制御部２１１は、切り替えスイッチ２１３と同時に切り替えスイッチ２１４も同時に切り替えの制御を行う。レーザダイオードの出力切換えと同時に、第１の信号処理回路２０８、第２の信号処理回路２０１はそれぞれサンプリングとホールドを図４（ａ）に示すように交互に切り替えることになる。図４（ａ）において、第１の信号処理回路の動作をＳｉｇ１、第２の信号処理回路の動作をＳｉｇ２とする。
【００４５】
この構成により、実施の形態１と同様に第１のレーザダイオード（ＬＤ１）２０７が照射して得られる受光信号はフォトダイオード２０５を経て、第１の信号処理回路２０８で取得され、また、第２のレーザダイオード（ＬＤ２）２０９が照射して得られる受光信号は同じくフォトダイオード２０５を経て、第２の信号処理回路２０１で取得される。
【００４６】
以上のように、本実施の形態２においては、反射光を用いて分析とトラッキングとを行うよう構成した光学分析装置においても、サンプルの配置された領域内でのレーザの照射位置を正確に制御しつつ、精度の高い分析を行うことが出来る。
【００４７】
（実施の形態３）
図３は、本発明の実施の形態３における光学分析装置を示す。図３においては、分析ディスク１０１のピットやウオブルのなどが形成されたトラックをトレースするのに適した波長を出力する第１のレーザダイオード２０７を備えるとともに、サンプルの分析に適した互いに波長の異なる２種類のレーザを出力する第２のレーザダイオード２０９、第３のレーザダイオード２１６を備えた例を示している。本実施の形態ではレーザの照射は、第１のレーザダイオード２０７、から第２、第３のレーザダイオード２０９，２１６へと順次切り替える切換えスイッチ２１３が備えられる。
【００４８】
また、実施の形態１と同様に、レーザダイオード２０７の照射で得られる受光信号は第１のフォトディテクタ（ＰＤ１）２０６を経て第１の信号処理回路２０８で取得され、第２のレーザダイオード２０９、第３のレーザダイオード２１６の照射で得られる受光信号は第２のフォトディテクタ（ＰＤ２）２００を経て第２または第３の信号処理回路２０１，２０２で取得される構造である。
【００４９】
さらに、この第２のフォトダイオード２００あるいは、第３のレーザダイオード２１６からの出力は、切り替ええスイッチ２１８により、第２の信号処理回路２０１と、第３の信号処理回路２０２に分岐可能になっている。
【００５０】
上記の構成を用い、本実施の形態３では、まず実施の形態１と同様に、トラッキングに用いる第１のレーザダイオード２０７と、分析に用いる第２，第３のレーザダイオード２０９，２１６の切換えに同期して、第１の信号処理回路２０８、および第２、第３の信号処理回路２０１，２０２での処理をサンプリングまたはホールド状態に切り替える。
【００５１】
サンプルの分析時には、第２のレーザダイオード２０９と、第３のレーザダイオード２１６の切換えに同期して、切り替ええスイッチ２１８を動作させて、第２の信号処理回路２０１と、第３の信号処理回路２０２に出力信号を分岐させる。
【００５２】
第１〜第３のレーザダイオード、第１〜第３の信号処理回路の切換えは、図４（ｂ）のタイミングチャートに示すように行われる。図４（ｂ）において、第１の信号処理回路の動作をＳｉｇ１，第２の信号処理回路の動作をＳｉｇ２、第３の信号処理回路の動作をＳｉｇ３とする。
【００５３】
ここで、第２のレーザダイオード２０９が出力するレーザは、分析ディスク上の検体形状取得に有利なスポット径の小さな短い波長のレーザとし、第３のレーザダイオード２１６が出力するレーザは、比色測定に有効な波長のレーザを使用すると、検体の形状取得と比色動作を同時に行うことが可能となる。
【００５４】
このように本実施の形態３によれば、サンプルの配置された領域のトラックをトレースする際に、レーザの照射位置を正確にコントロールできるだけでなく、サンプルに対して、目的の異なる分析を行うことが可能となり、分析処理の能力が、大幅にアップすることとなる。なお、サンプルの分析を行うためのレーザダイオードは、２種類だけでなく、３種類以上複数個設定することも考えられる。
【産業上の利用可能性】
【００５５】
本発明にかかる光学分析装置は、生物学的、化学的または生化学的なサンプルの光学特性に広範囲に対応することができ、血液中の脂質、血糖値などの測定を行う医療検査分野等に特に有用である。
【図面の簡単な説明】
【００５６】
【図１】本発明の実施の形態１における光学分析装置の構成図
【図２】本発明の実施の形態２における光学分析装置の構成図
【図３】本発明の実施の形態３における光学分析装置の構成図
【図４】レーザ出力と、サンプリング及びホールドの切り替えのタイミングを示すタイミングチャート
【図５】分析ディスクの一部切り欠き平面図
【図６】分析ディスクの断面図
【図７】従来の光学分析装置の構成図
【符号の説明】
【００５７】
１０１  分析用ディスク
１０２  基盤
１０３  トラック
１０４  ピット・ウオブル
１０５  保護層
１０６  ディスクモータ
１０７  ピックアップ
１０８  トラバースモータ
１１１  サンプル
２００  第２のフォトディテクタ
２０１  第２の信号処理回路
２０２  第３の信号処理回路
２０５  フォトディテクタ
２０６  第１のフォトディテクタ
２０７  第１のレーザダイオード
２０８  第１の信号処理回路
２０９  第２レーザダイオード
２１１  制御部
２１３  切り替えスイッチ
２１４  切り替えスイッチ
２１６  第３のレーザダイオード
２１８  切り替えスイッチ
【図１】
2006300696.tif 000003
【図２】
2006300696.tif 000004
【図３】
2006300696.tif 000005
【図４】
2006300696.tif 000006
【図５】
2006300696.tif 000007
【図６】
2006300696.tif 000008
【図７】
2006300696.tif 000009